(57)【要約】【課題】アンカ−ボルトの埋め込み孔が下または横に開口している場合でも、施工可能なケミカルアンカ−の施工方法を確立する。【解決手段】アンカ−ボルト埋め込み孔３が下向きまたは横向きに開口している場合のケミカルアンカ−の施工方法であり、固定用ケミカル１０入りのケミカルカプセル７を挿入したアンカ−ボルト埋め込み孔３に、アンカ−ボルト９を挿入して前記ケミカルカプセル７を破り、前記固定用ケミカル１０を前記アンカ−ボルト９の周りに充填させるに際して、前記アンカ−ボルト埋め込み孔３の口部を、該口部の形状に対応して柔軟に変形し、かつ前記アンカ−ボルト９を貫通させる開口を有する栓８で塞ぎ、前記開口からアンカ−ボルト９を挿入することを特徴とするケミカルアンカ−の施工方法。【選択図】　　　　　　図１
2004011345.tif 000002
【特許請求の範囲】
【請求項１】
アンカ−ボルト埋め込み孔が下向きまたは横向きに開口している場合のケミカルアンカ−の施工方法であり、固定用ケミカル入りのケミカルカプセルを挿入したアンカ−ボルト埋め込み孔に、アンカ−ボルトを挿入して前記ケミカルカプセルを破り、前記固定用ケミカルを前記アンカ−ボルトの周りに充填させるに際して、前記アンカ−ボルト埋め込み孔の口部を、該口部の形状に対応して柔軟に変形し、かつ前記アンカ−ボルトを貫通させる開口を有する栓で塞ぎ、前記開口からアンカ−ボルトを挿入することを特徴とするケミカルアンカ−の施工方法。
【発明の詳細な説明】
【０００１】
【産業上の利用分野】
この発明は、ケミカルアンカ−の施工方法、特にアンカ−ボルトの埋め込み孔が下向きまたは横向きに開口している場合のケミカルアンカ−の施工方法に関する。
【０００２】
【従来の技術】
従来のケミカルアンカ−の施工方法は、図３に示すような手順で行なわれる。
図３（ａ）に示すように、母材２１にドリル２２により、アンカ−ボルト埋め込み孔２３を明ける。次に、図３（ｂ）に示すように、埋め込み孔２３にエア管２４を挿入し、エア管２４の先端からエア２５を噴出させ、エアブロ−により埋め込み孔２３内の清掃を行なう。
【０００３】
次に、図３（ｃ）に示すように、埋め込み孔２３にブラシ２６を挿入し、ブラシ２６を上下させながら埋め込み孔２３内面の清掃を行なう。次に、図３（ｄ）に示すように、清掃の終った埋め込み孔２３に、固定用ケミカルの入ったケミカルカプセル２７を挿入する。
【０００４】
次に、図３（ｅ）に示すように、ケミカルカプセル２７が挿入された埋め込み孔２３に、アンカ−ボルト２８を回転させながら挿入する。図３（ｆ）に示すように、アンカ−ボルト２８を挿入したことにより、ケミカルカプセル２７が破れ、内部の固定用ケミカル２９が、アンカ−ボルト２８と埋め込み孔２３との間に充填される。固定用ケミカル２９は一定の養生時間を経過して硬化し、アンカ−ボルト２８が固定される。なお、アンカ−ボルト２８は、固定用ケミカル２９が硬化するまで、傾かないように固定される。
【０００５】
また、アンカ−ボルト２８の先端部分２８ａは、ケミカルカプセル２７を容易に突き破ることができるように、斜めに切断されて刃先が形成されている。
【０００６】
また、埋め込み孔２３の内径は、固定化用ケミカル２９が、アンカ−ボルト２８と埋め込み孔２３との間を十分に充填し、かつ固定用ケミカル２９が埋め込み孔２３からあふれ出ないような大きさとなっている。
【０００７】
【発明が解決しようとする課題】
上述した従来のケミカルアンカ−の施工方法は、アンカ−ボルトが母材の上面側に固定される場合には問題ない。しかしながら、アンカ−ボルトが母材の下面側、例えば天井に固定される場合、すなわち図４に示すように、前述した埋め込み孔２３が、下方に開口している場合には、固定用ケミカル２９が埋め込み孔２３から下方に流出していまい、アンカ−ボルト２８が固定できないという問題点がある。
【０００８】
この発明は、従来技術の上述のような問題点を解消するためになされたものであり、アンカ−ボルトが母材の下面側または側面に固定される場合に施工することのできるケミカルアンカ−の施工方法を提供することを目的としている。
【０００９】
【課題を解決するための手段】
この発明に係るケミカルアンカ−の施工方法は、アンカ−ボルト埋め込み孔が下向きまたは横向きに開口している場合のケミカルアンカ−の施工方法であり、固定用ケミカル入りのケミカルカプセルを挿入したアンカ−ボルト埋め込み孔に、アンカ−ボルトを挿入して前記ケミカルカプセルを破り、前記固定用ケミカルを前記アンカ−ボルトの周りに充填させるに際して、前記アンカ−ボルト埋め込み孔の口部を、該口部の平面形状に対応して柔軟に変形し、かつ前記アンカ−ボルトを貫通させる開口を有する栓で塞ぎ、前記開口からアンカ−ボルトを挿入するものである。
【００１０】
この発明に係るケミカルアンカ−の施工方法は、アンカ−ボルト埋め込み孔が下向きまたは横向きに開口している場合に、アンカ−ボルト埋め込み孔の口部を、該口部の平面形状に対応して柔軟に変形し、かつ前記アンカ−ボルトを貫通させる開口を有する栓で塞ぎ、前記開口からアンカ−ボルトを挿入するようにしているので、ケミカルカプセルからでてきた固定用ケミカルが、アンカ−ボルト埋め込み孔から下方に流出することはなく、アンカ−ボルトを容易に固定することができる。
【００１１】
【発明の実施の形態】
本発明の実施の形態を図面を参照して説明する。図１は本発明のケミカルアンカ−の施工方法の手順を示す図である。このケミカルアンカ−の施工方法は、図１に示すような手順で行なわれる。図１（ａ）に示すように、母材１にドリル２により、アンカ−ボルト埋め込み孔３を明ける。次に、図１（ｂ）に示すように、埋め込み孔３にエア管４を挿入し、エア管４の先端からエア５を噴出させ、エアブロ−により埋め込み孔３内の清掃を行なう。
【００１２】
次に、図１（ｃ）に示すように、埋め込み孔３にブラシ６を挿入し、ブラシ６を上下させながら埋め込み孔３内面の清掃を行なう。次に、図１（ｄ）に示すように、清掃の終った埋め込み孔３に、固定用ケミカルの入ったケミカルカプセル７を挿入する。
【００１３】
次に、図１（ｅ）に示すように、ケミカルカプセル７が挿入された埋め込み孔３の口部に、口部の形状に対応して柔軟に変形し、かつアンカ−ボルトを貫通させる開口８ａを有する栓８で塞ぐ。
【００１４】
次に、図１（ｆ）に示すように、栓８の開口８ａを介して、アンカ−ボルト９を回転させながら、埋め込み孔３に挿入する。図１（ｇ）に示すように、アンカ−ボルト９を挿入したことにより、ケミカルカプセル７が破れ、内部の固定用ケミカル１０が、アンカ−ボルト９と埋め込み孔３との間に充填される。固定用ケミカル１０は一定の養生時間を経過して硬化し、アンカ−ボルト９が固定される。そして、図１（ｈ）に示すように、栓８の埋め込み孔３から突出している部分が切除される。
【００１５】
なお、アンカ−ボルト９は、固定用ケミカル１０が硬化するまで、傾かずかつ自重で落下しないように栓８または冶具等により固定される。
【００１６】
また、アンカ−ボルト９の先端部分９ａは、ケミカルカプセル７を容易に破ることができるように、斜めに切断されて刃先が形成されている。
【００１７】
また、埋め込み孔３の内径は、固定用ケミカル１０が、アンカ−ボルト９と埋め込み孔３との間を十分に充填し、かつ固定用ケミカル１０が埋め込み孔３からあふれ出ないような大きさとなっている。
【００１８】
また、栓８の開口８ａの大きさは、アンカ−ボルト９の径よりも小さくしており、アンカ−ボルト９は柔軟性のある材料からできた栓８の開口８ａを、押し広げるようにして埋め込み孔３に挿入される。
【００１９】
したがって、埋め込み孔３の口部が下向きまたは横向きに開口している場合でも、ケミカルカプセル７から出てきた固定用ケミカル１０が、埋め込み孔３から流出することはない。
【００２０】
図２は、栓８が埋め込み孔３から飛出さないように、アンカ−ボルト９に飛出し防止処置を施した例を示すものである。図２（ａ）は飛出し防止板１１をアンカ−ボルト９に固着させ、アンカ−ボルト９を埋め込み孔３に挿入したときに、飛出し防止板１１が栓８を押え付けることにより、飛出しを防止するようにしたものである。
【００２１】
図２（ｂ）は飛出し防止くさび１２をアンカ−ボルト９に固着させ、アンカ−ボルト９を埋め込み孔３に挿入したときに、飛出し防止くさび１２が栓８の開口８ａに食込んで、飛出しを防止するようにしたものである。
【００２２】
図２（ｃ）はアンカ−ボルト９の一部に小径部１３を設け、アンカ−ボルト９を埋め込み孔３に挿入したときに、小径部１３に栓８を充満させて、飛出しを防止するようにしたものである。
【００２３】
栓８の材質は、ゴムのように柔軟性があるばかりでなく、固定用ケミカル１０に対する耐ケミカル性も持ち合わせる必要がある。
【００２４】
また、栓８の効果を高めるために、栓８と母材１との間にシ−ル材を用いてもよい。
【００２５】
なお、本発明の実施の形態の説明では、アンカ−ボルト９の埋め込み孔３が下向きに開口している場合を例にとって説明したが、横向きに開口している場合にも、本発明が有効であることはいうまでもない。
【００２６】
【発明の効果】
本発明により、アンカ−ボルトが母材の下面または側面に固定される場合に、ケミカルアンカ−の施工が可能となる。
【図面の簡単な説明】
【図１】（ａ）〜（ｈ）は本発明のケミカルアンカ−の施工方法の手順を示す図である。
【図２】本発明のケミカルアンカ−の施工方法において、アンカ−ボルトに栓の飛出し防止処置を施した例を示す図であり、（ａ）は飛出し防止板をアンカ−ボルトに固着させたもの、（ｂ）は飛出し防止くさびをアンカ−ボルトに固着させたもの、（ｃ）はアンカ−ボルトの一部に小径部を設けたものである。
【図３】（ａ）〜（ｆ）は従来のケミカルアンカ−の施工方法の手順を示す図である。
【図４】従来のケミカルアンカ−の施工方法を、埋め込み孔が下向きの場合に適用した図である。
【符号の説明】
１　母材
２　ドリル
３　埋め込み孔
４　エア管
５　エア
６　ブラシ
７　ケミカルカプセル
８　栓
９　アンカ−ボルト
１０　固定用ケミカル
１１　飛出し防止板
１２　飛出し防止くさび
１３　アンカ−ボルトの小径部
【図１】
2004011345.tif 000003
【図２】
2004011345.tif 000004
【図３】
2004011345.tif 000005
【図４】
2004011345.tif 000006